(57)【要約】      （修正有）【課題】尿がパンツ本体の外側に漏れることを極力防止することができる失禁パンツおよび失禁パンツ用吸収部材を提供する。【解決手段】失禁パンツ本体と、パンツ本体の股当部内側に設けられた吸収部材とを備えている。吸収部材は、肌側からパンツ本体側にかけて、撥水繊維層３、第一吸水繊維層４、第二吸水繊維層５および防水繊維層６を積層した構造である。【選択図】図３
0003190915.tif 000002
【実用新案登録請求の範囲】
【請求項１】
パンツ本体と、当該パンツ本体の股当部内側に設けられた吸収部材とを備え、上記吸収部材は、肌側からパンツ本体側にかけて、撥水繊維層、第一吸水繊維層、第二吸水繊維層、防水繊維層を積層した構造であることを特徴とする失禁パンツ。
【請求項２】
請求項１記載の失禁パンツのパンツ本体の股当部内側に装着可能で、肌側からパンツ本体側にかけて、撥水繊維層、第一吸水繊維層、第二吸水繊維層、防水繊維層を積層した構造であることを特徴とする失禁パンツ用吸収部材。
【考案の詳細な説明】
【技術分野】
【０００１】
本考案は失禁パンツに関する。近年、医学の進歩によって人の寿命が著しく延びてきたが、年とともに末梢神経が衰えることは避けることができない。そのため、一般的な社会生活に支障がない元気な老人でありながら、失禁症のために社会参加できない人がいる。また、寝たきり老人の場合にあっては失禁した尿によって炎症を起こしたり、臭いなどが周囲の人や介護者に苦痛を与えている場合がある。本考案は、上記のように、少水が近く失禁しやすい人や夜尿症の人が快適に利用し、周囲にもできるだけ清潔感を与える失禁パンツおよび失禁パンツ用吸収部材に関する考案である。
【背景技術】
【０００２】
従来から、小便を抑制できずに漏らしてしまう乳幼児や老人などが着用する失禁パンツの例が、特許文献１に開示されている。この従来の失禁パンツは、図７に示すように、パンツ本体１０と、パンツ本体１０の股当部内側に設けられた吸収部材１１とを備えている。この吸収部材１１は、図８に示すように尿を吸収する吸収布１２と、吸収布１２のパンツ本体１０側に設けられた防水布１３と、吸収布１２と防水布１３の端部を包み込む状態で縫合されたバインダー１４とから構成されており、この防水布１３によって尿がパンツ本体に漏れるのを防止している。また、吸収部材１１は、パンツ本体１０股当部の形状に合わせて形成されており、防水布１３をパンツ本体１０に縫い合わせたり、ボタンなどによって着脱自在に取り付けられている。
【０００３】
しかしながら、吸収部材１１において、吸収布１２は、図８に示すように直接防水布１３に縫い合わされているので、その縫合部１５から尿がパンツ本体１０側に漏れてしまうという欠点がある。
【先行技術文献】
【特許文献】
【０００４】
【特許文献１】特開２００５−１５９３２号公報
【考案の概要】
【考案が解決しようとする課題】
【０００５】
本考案は前記従来技術の課題を背景になされたもので、尿がパンツ本体の外側に漏れることを極力防止することができる失禁パンツおよび失禁パンツ用吸収部材を提供することを目的とする。
【課題を解決するための手段】
【０００６】
上記の課題を解決する本考案の失禁パンツは、パンツ本体と、当該パンツ本体の股当部内側に設けられた吸収部材とを備え、上記吸収部材は、肌側からパンツ本体側にかけて、撥水繊維層、第一吸水繊維層、第二吸水繊維層、防水繊維層を積層した構造であることを特徴とする。
【０００７】
上記の課題を解決する本考案の失禁パンツ用吸収部材は、上記失禁パンツのパンツ本体の股当部内側に装着可能で、肌側からパンツ本体側にかけて、撥水繊維層、第一吸水繊維層、第二吸水繊維層、防水繊維層を積層した構造であることを特徴とする。
【０００８】
撥水繊維層は肌に直接触れる部分であるから、サラサラ感を備えるために、例えば、ポリエステルのトリコット編地を使用することができる。
第一吸水繊維層は吸水、抗菌、消臭および速乾機能を備えていることが好ましく、例えば、ポリエステルとポリウレタンの混紡のニット編地を使用することができる。
第二吸水繊維層は吸水、抗菌、消臭機能を備えていることが好ましく、例えば、不織布を使用することができる。不織布の素材としては、羊毛や綿などの天然繊維、レーヨンやアセテートなどの化学繊維、ガラス繊維や炭素繊維などの無機繊維等を挙げることができる。
【０００９】
不織布は、ポーラス（多孔質）構造であることが特徴で、通気性、濾過性および保温性などの機能を備えているので、本考案の用途に適している。例えば、「ポリプロピレンなど溶解温度の低い樹脂のチップを加熱・溶融してノズルから押し出して直接紡糸し、溶出されるエンドレスの長繊維をベルトコンベヤ上で何本も重ね合わせてウェブを形成し、このウェブを熱ロールで熱溶着することにより形成されるスパンボンド不織布」、「比較的長めの短繊維を空気流で開繊・撹拌してベルトコンベアに送り、途中に設けられたカード機が備える針で繊維の一定量を一定方向に送り出してウェブを形成し、形成されたウェブ中の低融点繊維が熱ロールで溶着することにより形成されるサーマルボンド不織布」、「比較的長めの短繊維を空気流で開繊・撹拌してベルトコンベアに送り、途中に設けられたカード機が備える針で繊維の一定量を一定方向に送り出してウェブを形成し、形成されたウェブにバインダー（接着樹脂）をスプレーで塗布し、加熱・乾燥させて繊維の交点を接着結合することにより形成されるケミカルボンド不織布」、「比較的長めの短繊維を空気流で開繊・撹拌してベルトコンベアに送り、途中に設けられたカード機が備える針で繊維の一定量を一定方向に送り出してウェブを形成し、形成されたウェブを目的や用途に応じて決められる複数の層に重ね合わせて積層し、その積層体に特殊針が高速で往復し、バーブと呼ばれる微少な突起で繊維同士を交絡させることにより形成されるニードルパンチ不織布」、「比較的長めの短繊維を空気流で開繊・撹拌してベルトコンベアに送り、途中に設けられたカード機が備える針で繊維の一定量を一定方向に送り出してウェブを形成し、形成されたウェブを目的や用途に応じて決められる複数の層に重ね合わせて積層し、その積層体をフィラメントでステッチングして結合することにより形成されるステッチボンド不織布」などを使用することができる。
【００１０】
防水繊維層は漏れ止め機能を備えていることが好ましく、例えば、ポリエステル織物ラミネートを使用することができる。
【考案の効果】
【００１１】
本考案の失禁パンツおよび失禁パンツ用吸収部材は、第一および第二吸水層からなる二つの吸収層を備えており、失禁による尿の吸収量を増加することができるので、尿がパンツ本体の外側に漏れることを極力防止することができる。
【図面の簡単な説明】
【００１２】
【図１】本考案に係る失禁パンツの一実施形態の正面図である。
【図２】本考案に係る失禁パンツ用吸収部材の一実施形態の平面図である。
【図３】図２のＡ−Ａ矢視断面を拡大した断面図である。
【図４】図３とは別の実施形態である、図２のＡ−Ａ矢視断面を拡大した拡大断面図である。
【図５】図３および図４とは別の実施形態である、図２のＡ−Ａ矢視断面を拡大した拡大断面図である。
【図６】図３、図４および図５とは別の実施形態である、図２のＡ−Ａ矢視断面を拡大した拡大断面図である。
【図７】従来の失禁パンツの正面図である。
【図８】従来の失禁パンツ用吸収部材の一部断面図である。
【考案を実施するための形態】
【００１３】
以下、本考案の好ましい実施の形態について、図面に基づいて説明する。図１は本考案に係る失禁パンツの一実施形態の正面図であり、図２は本考案に係る失禁パンツ用吸収部材の一実施形態の平面図である。
【００１４】
本考案に係る失禁パンツは、図１に示すように、パンツ本体１と、パンツ本体１の股当部内側に設けられた吸収部材２とを備えている。吸収部材２はパンツ本体１の股当部の形状に適応した外形を有している。図３に示すように、吸収部材２は、肌側からパンツ本体側にかけて、撥水繊維層３、第一吸水繊維層４、第二吸水繊維層５、防水繊維層６を積層した構造であり、７は縁取り部材であり、係る構造の吸収部材２は、パンツ本体１に縫い合されることにより取り付けられている。図２の平面図では、撥水繊維層３と縁取り部材７が示されている。
【００１５】
撥水繊維層３は１００％ポリエステルのトリコット編地からなり、逆流防止機能を備えているので瞬時に吸水して逆戻りを防ぎ、撥水性も備えているので、いつもサラサラである。第一吸水繊維層４は９５％のポリエステルと５％のポリウレタンの混紡のニット編地からなり、素早く水分を拡散して吸水する機能があり、かつ抗菌・消臭・速乾性を備えている。第二吸水繊維層５は、３０％アクリル、３０％ベルオアシス、２０％レーヨンおよび２０％ポリエステルの不織布からなり、素早く水分を拡散して吸水する機能があり、かつ抗菌・消臭性を備えている。防水繊維層６は１００％ポリエステルの織物ラミネートからなり、吸水した尿を外に漏らさない防水機能を備えている。なお、ベルオアシスは帝人株式会社の登録商標で、当該登録商標が使用された商品はポリアクリル酸ナトリウム塩を主成分とするポリマーで、自重の８０倍の吸水性能を備えている。
【００１６】
図３に示す吸収部材２の第二吸水繊維層５は２つの層からなるが、図４〜図６に示す吸収部材２の第二吸水繊維層５は積層する層構成数を変更した実施形態であり、図４に示す吸水部材２の第二吸水繊維層５は３つの層からなり、図５に示す吸収部材２の第二吸水繊維層５も同じく３つの層からなり、図６に示す吸水部材２の第二吸水繊維層５は４つの層からなる。図４と図５の第二吸水繊維層５の層構成数は同じであるが、図５の方が断面積が大きくなっている。すなわち、図３〜図６に示す吸収部材２の第二吸水繊維層５は、積層する層構成数と形状を変えることにより断面積を順次大きくしているので、本人に適した構造の第二吸水繊維層５を備えた吸収部材２を選択することにより、個人により異なる尿漏れ量に対応することができる。また、図３〜図６に示すように、第二吸水繊維層５を複数の層構成として立体感を持たせてあるので、本人の排尿器官に適応した構造の第二吸水繊維層５を備えた吸収部材２を選択することにより、装着時のフィット感を向上することができる。
【００１７】
そこで、本考案者は、本考案に係る撥水繊維層３、第一吸水繊維層４、第二吸水繊維層５および防水繊維層６を積層した構造の吸収部材を備えた失禁パンツについて吸水量を調査した。具体的には、図３、図４、図５および図６に示す各第二吸水繊維層５を備えた本考案に係る失禁パンツの吸収部材へ水道水を滴下したところ、図３、図４、図５および図６に示す各第二吸水繊維層５を備えた吸収部材に対して、それぞれ、２０ｃｃ、４０ｃｃ、６０ｃｃ、８０ｃｃの水道水が吸収されたことを確認した。
【００１８】
さらに、本考案者が第二吸水繊維４の抗菌防臭効果について調査したところ、新品および１０回洗濯後の黄色ぶどう球菌に対する抗菌防臭効果があることを確認した。
【産業上の利用可能性】
【００１９】
本考案の失禁パンツおよび失禁パンツ用吸収部材は男性、女性を問わず、年齢に関係なく、少水が近く失禁しやすい人や夜尿症の人など、これらに該当するすべての人の使用に適している。
【符号の説明】
【００２０】
１  パンツ本体
２  吸収部材
３  撥水繊維層
４  第一吸水繊維層
５  第二吸水繊維層
６  防水繊維層
７  縁取り部材
【図２】
0003190915.tif 000003
【図７】
0003190915.tif 000004
【図１】
0003190915.tif 000005
【図３】
0003190915.tif 000006
【図４】
0003190915.tif 000007
【図５】
0003190915.tif 000008
【図６】
0003190915.tif 000009
【図８】
0003190915.tif 000010